(57)【要約】【課題】  ユーザが望む映像を即座かつより確実に録画する。【解決手段】  レコーダ１００は、映像を受付けるチューナと、チューナが受付けた映像を光ディスクに録画するＤＶＤ装置１１６と、ＤＶＤ装置１１６とは別にチューナが受付けた映像を録画するＨＤＤ装置１１４と、ＨＤＤ装置１１４にチューナが受付けた映像を録画する旨の指令をリモコンからの信号として受付けるリモコン受信部兼操作部１２０と、リモコン受信部兼操作部１２０が指令を受付けると、チューナが受付けた映像をＨＤＤ装置１１４が録画するように、ＨＤＤ装置１１４およびＤＶＤ装置１１６を制御する制御部１１０とを含む。【選択図】        図１
2006129054.tif 000002
【特許請求の範囲】
【請求項１】
映像を受付けるチューナと、
前記チューナが受付けた映像を光ディスクに録画する録画装置と、
前記録画装置とは別に前記チューナが受付けた映像を録画するハードディスクと、
前記ハードディスクに前記チューナが受付けた映像を録画する旨の指令をリモコンからの信号として受付ける受信機と、
前記受信機が指令を受付けると、前記チューナが受付けた映像を前記ハードディスクが録画するように、前記ハードディスクおよび録画装置を制御するための制御手段とを含む、レコーダ。
【請求項２】
映像を受付けるための第１の受付手段と、
前記第１の受付手段が受付けた映像を記録媒体に録画するための第１の録画手段と、
前記第１の録画手段とは別に前記第１の受付手段が受付けた映像を録画するための第２の録画手段と、
前記第２の録画手段に前記第１の受付手段が受付けた映像を録画する旨の指令を受付けるための第２の受付手段と、
前記第２の受付手段が指令を受付けると、前記第１の受付手段が受付けた映像を前記第２の録画手段が録画するように、前記第１の録画手段および第２の録画手段を制御するための制御手段とを含む、映像録画装置。
【請求項３】
前記第２の録画手段は、前記映像を前記記録媒体よりも多く録画するための手段を含む、請求項２に記載の映像録画装置。
【請求項４】
前記記録媒体よりも多く録画するための手段は、ハードディスクを含む、請求項３に記載の映像録画装置。
【請求項５】
前記第２の受付手段は、前記指令をリモコンからの信号として受付ける受信機を含む、請求項２に記載の映像録画装置。
【発明の詳細な説明】
【技術分野】
【０００１】
本発明は、映像録画装置およびレコーダに関し、特に、２種類以上の装置を用いて映像を録画できる映像録画装置およびレコーダに関する。
【背景技術】
【０００２】
特許文献１に係る再生装置は、表示画像に、システムの各動作モードに対応する動作ボタンを表示させ、現在実行中の動作モードに対応する動作ボタンと、この実行中の動作モードに対して、実行が可能な動作モードに対応する有効動作ボタンと、実行が不可能な動作モードに対応する無効動作ボタンとを、識別可能に表示する。
【０００３】
この発明によると、ユーザが各状況下において実行可能な操作を容易に理解して、速やかに目的の操作を実行できるようにすることができる。
【０００４】
特許文献２に開示された受像録画システムは、無線または有線で放送されるコンテンツを録画する録画装置と、無線または有線で放送されるコンテンツまたは録画装置から入力したコンテンツを視聴するための受像装置とを備えた受像録画システムにおいて、受像装置側に配設されたスイッチを押し下げることにより、録画装置が、受像装置を通じて視聴中の番組を録画することを特徴とする。
【０００５】
この発明によると、受像装置および録画装置が別々に構成されている場合であっても、受像装置側からの簡便な操作により即時録画を行なうことができる。
【０００６】
しかしながら、特許文献１に開示された発明では、ユーザが録画したいと思う映像を即座に録画することが困難であるという問題点がある。ユーザが、実行できる操作および実行できない操作を直ちに理解し、かつ操作することは困難だからである。特許文献２に開示された発明では、２種類以上の装置を用いて映像を録画できる場合、ユーザが希望するように映像を録画できない可能性が比較的高いという問題点がある。ユーザは、２種類以上の装置のいずれを用いて映像を録画させるか検討し、かつ映像を録画させようとする装置に直ちに映像を録画できるか否か確認しなくてはならないからである。
【特許文献１】特開２００４−１５３３８４号公報
【特許文献２】特開２０００−３３９７９４号公報
【発明の開示】
【発明が解決しようとする課題】
【０００７】
本発明は上述の問題点を解決するためになされたものであって、その目的は、ユーザが望む映像を即座かつより確実に録画できる映像録画装置およびレコーダを提供することにある。
【課題を解決するための手段】
【０００８】
上記目的を達成するために、本発明のある局面にしたがうと、レコーダは、映像を受付けるチューナと、チューナが受付けた映像を光ディスクに録画する録画装置と、録画装置とは別にチューナが受付けた映像を録画するハードディスクと、ハードディスクにチューナが受付けた映像を録画する旨の指令をリモコンからの信号として受付ける受信機と、受信機が指令を受付けると、チューナが受付けた映像をハードディスクが録画するように、ハードディスクおよび録画装置を制御するための制御手段とを含む。
【０００９】
すなわち、制御手段は、受信機が指令を受付けると、チューナが受付けた映像をハードディスクが録画するように、ハードディスクおよび録画装置を制御する。これにより、録画装置が光ディスクに映像を記録できない状態であっても、映像はハードディスクに録画される。ハードディスクは、直ちかつ確実に映像を録画させることが容易である。その結果、ユーザが望む映像を即座かつ特に確実に録画できるレコーダを提供することができる。
【００１０】
本発明の他の局面にしたがうと、映像録画装置は、映像を受付けるための第１の受付手段と、第１の受付手段が受付けた映像を記録媒体に録画するための第１の録画手段と、第１の録画手段とは別に第１の受付手段が受付けた映像を録画するための第２の録画手段と、第２の録画手段に第１の受付手段が受付けた映像を録画する旨の指令を受付けるための第２の受付手段と、第２の受付手段が指令を受付けると、第１の受付手段が受付けた映像を第２の録画手段が録画するように、第１の録画手段および第２の録画手段を制御するための制御手段とを含む。
【００１１】
すなわち、制御手段は、第２の受付手段が指令を受付けると、第１の受付手段が受付けた映像を第２の録画手段が録画するように、第１の録画手段および第２の録画手段を制御する。これにより、第１の録画手段が記録媒体に映像を記録できない状態であっても、映像は第２の録画手段に録画される。その結果、ユーザが望む映像を即座かつより確実に録画できる映像録画装置を提供することができる。
【００１２】
また、上述の第２の録画手段は、映像を記録媒体よりも多く録画するための手段を含むことが望ましい。
【００１３】
すなわち、第２の録画手段は、映像を記録媒体よりも多く録画できる。これにより、映像は第２の録画手段により確実に録画される。その結果、ユーザが望む映像を即座かつさらに確実に録画できる映像録画装置を提供することができる。
【００１４】
また、上述の記録媒体よりも多く録画するための手段は、ハードディスクを含むことが望ましい。
【００１５】
すなわち、ハードディスクは、映像を記録媒体よりも多く録画できる。ハードディスクは、直ちかつ確実に映像を録画させることが容易である。これにより、映像はハードディスクに特に確実に録画される。その結果、ユーザが望む映像を即座かつ特に確実に録画できる映像録画装置を提供することができる。
【００１６】
また、上述の第２の受付手段は、指令をリモコンからの信号として受付ける受信機を含むことが望ましい。
【発明の効果】
【００１７】
本発明に係る映像録画装置およびレコーダは、ユーザが望む映像を即座かつより確実に録画できる。
【発明を実施するための最良の形態】
【００１８】
以下、図面を参照しつつ、本発明の実施の形態について説明する。以下の説明では、同一の部分には同一の符号を付してある。それらの名称および機能も同一である。したがって、それらについての詳細な説明は繰返さない。
【００１９】
本実施の形態に係るレコーダシステムは、レコーダ１００と、リモコン１０２とを含む。レコーダ１００は、映像を録画する。リモコン１０２は、レコーダ１００にユーザの指令を送信する。
【００２０】
図１を参照して、レコーダ１００は、制御部１１０と、メモリ１１２と、ＨＤＤ（Hard Disk Drive）装置１１４と、ＤＶＤ（Digital Versatile Disc）装置１１６と、入力部１１８と、リモコン受信部兼操作部１２０と、エンコード１２２と、デコーダ１２４と、出力部１２６とを含む。制御部１１０は、本実施の形態に係るレコーダ１００の各部を制御する。メモリ１１２は、制御部１１０がレコーダ１００を制御するために必要な情報を記憶する。ＨＤＤ装置１１４は、ＤＶＤ装置１１６とは別に入力部１１８が含むチューナが受付けた映像を録画するハードディスクである。ＨＤＤ装置１１４は、映像を記録媒体（本実施の形態の場合、光ディスクであるＤＶＤ）よりも多く録画する。ＤＶＤ装置１１６は、チューナが受付けた映像をＤＶＤに録画する録画装置である。入力部１１８は、チューナにより映像を受付ける。リモコン受信部兼操作部１２０は、ＨＤＤ装置１１４にチューナが受付けた映像を録画する旨の指令をリモコン１０２からの信号として受付ける受信機である。リモコン受信部兼操作部１２０は、ＨＤＤ装置１１４にチューナが受付けた映像を録画する旨のユーザの指令をキー入力として受付ける装置でもある。エンコード１２２は、入力部１１８が出力した信号をＨＤＤ装置１１４およびＤＶＤ装置１１６が利用できる信号に変換する回路である。デコーダ１２４は、ＨＤＤ装置１１４およびＤＶＤ装置１１６が出力した信号をレコーダ１００に接続された機器が利用できる信号に変換する回路である。出力部１２６は、信号を外部に出力する。
【００２１】
図２を参照して、本実施の形態に係るリモコン１０２は、キー入力部１３０と、制御部１３２と、リモコン送信部１３４とを含む。キー入力部１３０は、ユーザからのキー入力を受付ける。制御部１３２は、キー入力部１３０が受付けた信号をリモコン送信部１３４が送信できる信号に変換する。制御部１３２は、リモコン１０２の各部を制御する回路でもある。リモコン送信部１３４は、制御部１３２が出力した信号をレコーダ１００のリモコン受信部兼操作部１２０に送信する。図３を参照して、キー入力部１３０は、ＨＤＤ録画ボタン１４０を含む。ＨＤＤ録画ボタン１４０は、ＨＤＤ装置１１４に入力部１１８が受信した映像を録画する旨の指令を受付ける。
【００２２】
図４を参照して、レコーダ１００およびリモコン１０２で実行されるプログラムは、ＨＤＤ装置１１４への映像の録画に関し、以下のような制御構造を有する。
【００２３】
ステップＳ２００（以下、ステップをＳと略す）にて、レコーダ１００のリモコン受信部兼操作部１２０は、リモコン１０２から信号を受信する。信号が受信されると、制御部１１０は、リモコン受信部兼操作部１２０の出力に基づいて、リモコン１０２から入力があったか否かを判断する。リモコン１０２から入力があったと判断した場合（Ｓ２００にてＹＥＳ）、処理はＳ２０２へと移される。もしそうでないと（Ｓ２００にてＮＯ）、再びＳ２００の処理が繰返される。
【００２４】
Ｓ２０２にて、制御部１１０は、ＨＤＤ録画ボタン１４０が押されたか否かを判断する。本実施の形態の場合、キー入力部１３０の各キーには、それぞれ識別コード（キー入力部１３０の各キーのうち、どのキーが押されたかを表わすコード）が割り当てられている。制御部１１０は、次の手順を経ることにより、ＨＤＤ録画ボタン１４０が押されたか否かを判断できる。その第１の手順は、リモコン受信部兼操作部１２０が受信した信号から識別コードを解読する手順である。第２の手順は、解読した識別コードとメモリ１１２が記憶したデータテーブル（キー入力部１３０の各キーに割り当てられた識別コードを表わすデータテーブル）を参照する手順である。ＨＤＤ録画ボタン１４０が押されたと判断した場合（Ｓ２０２にてＹＥＳ）、処理はＳ２０４へと移される。もしそうでないと（Ｓ２０２にてＮＯ）、処理はＳ２００へと移される。
【００２５】
Ｓ２０４にて、制御部１１０は、メモリ１１２が記憶した値に基づき、現在ＨＤＤモードか否かを判断する。本実施の形態の場合、メモリ１１２が記憶した値が「１」ならば、レコーダ１００は「ＤＶＤモード」である。メモリ１１２が記憶した値が「２」ならば、レコーダ１００は「ＨＤＤモード」である。本実施の形態において、「ＤＶＤモード」とは、入力部１１８が受付けた映像がＤＶＤ装置１１６に録画されるようにＨＤＤ装置１１４およびＤＶＤ装置１１６が制御されていることをいう。「ＨＤＤモード」とは、入力部１１８が受付けた映像がＨＤＤ装置１１４に録画されるようにＨＤＤ装置１１４およびＤＶＤ装置１１６が制御されていることをいう。現在ＨＤＤモードと判断した場合（Ｓ２０４にてＹＥＳ）、処理はＳ２０６へと移される。もしそうでないと（Ｓ２０４にてＮＯ）、処理はＳ２０８へと移される。
【００２６】
Ｓ２０６にて、制御部１１０は、ＨＤＤ装置１１４が録画可能か否かを判断する。ＨＤＤ装置１１４が録画可能と判断した場合（Ｓ２０６にてＹＥＳ）、処理はＳ２１２へと移される。もしそうでないと（Ｓ２０６にてＮＯ）、処理はＳ２００へと移される。
【００２７】
Ｓ２０８にて、制御部１１０は、次の要件のいずれもが満たされるか否かに基づき、ＨＤＤモードへ遷移可能か否かを判断する。条件の第１は、ＨＤＤ装置１１４およびＤＶＤ装置１１６がいずれも録画中でないことである。第２の条件は、ＨＤＤ装置１１４およびＤＶＤ装置１１６のいずれもが再生中でないことである。第３の条件は、出力部１２６が、メニューを表わす画像を出力中でないことである。ＨＤＤモードへ遷移可能と判断した場合（Ｓ２０８にてＹＥＳ）、処理はＳ２１０へと移される。もしそうでないと（Ｓ２０８にてＮＯ）、処理はＳ２００へと移される。
【００２８】
Ｓ２１０にて、制御部１１０は、レコーダ１００の状態をＨＤＤモードにする。あわせて、制御部１１０は、メモリ１１２が記憶した値（レコーダ１００が「ＤＶＤモード」および「ＨＤＤモード」のいずれであるかを表わす値）を「２」に更新する。
【００２９】
Ｓ２１２にて、制御部１１０は、ＨＤＤ装置１１４に、録画を開始すべき旨の信号を出力する。ＨＤＤ装置１１４は、録画を開始する。
【００３０】
以上のような構造およびフローチャートに基づく、レコーダ１００の動作について説明する。
【００３１】
レコーダ１００を使用中に、ユーザがリモコン１０２のキー入力部１３０のＨＤＤ録画ボタン１４０を押し下げたとする。ＨＤＤ録画ボタン１４０が押し下げられると、リモコン１０２のキー入力部１３０は、その旨のユーザの指令を受付ける。制御部１３２は、キー入力部１３０が受付けた入力を信号に変換する。リモコン送信部１３４は、制御部１３２が変換した信号を、赤外線としてレコーダ１００のリモコン受信部兼操作部１２０に送信する。図５を参照して、本実施の形態に係るリモコン１０２が送信する信号のフォーマットを説明する。本実施の形態に係る信号のフォーマットは、スタートビット用エリア２２０と、識別コードの送信を表わすオペレーションコード用エリア２２２と、識別コード用エリア２２４と、ストップビット用エリア２２６とを含む。レコーダ１００のリモコン受信部兼操作部１２０は、リモコン１０２から信号を受信する。信号が受信されると、リモコン受信部兼操作部１２０は、信号を受信した旨を制御部１１０に出力する。制御部１１０は、リモコン受信部兼操作部１２０の出力に基づいて、リモコン１０２から入力があったか否かを判断する（Ｓ２００）。この場合、リモコン１０２から入力があったので（Ｓ２００にてＹＥＳ）、制御部１１０は、ＨＤＤ録画ボタン１４０が押されたか否かを判断する（Ｓ２０２）。この場合、ＨＤＤ録画ボタン１４０が押されているので（Ｓ２０２にてＹＥＳ）、制御部１１０は、現在ＨＤＤモードか否かを判断する（Ｓ２０４）。現在ＤＶＤモードと判断されると（Ｓ２０４にてＮＯ）、制御部１１０は、ＨＤＤモードへ遷移可能か否かを判断する（Ｓ２０８）。この場合、レコーダ１００は、入力部１１８が受信した信号を直ちに出力部１２６に送信しているものとする。ＨＤＤ装置１１４およびＤＶＤ装置１１６はいずれも使用されていないものとする。これにより、ＨＤＤモードへの遷移は可能なので（Ｓ２０８にてＹＥＳ）、制御部１１０は、レコーダ１００の状態をＨＤＤモードにする（Ｓ２１０）。モードがＨＤＤモードにされると、ＨＤＤ装置１１４は録画を開始する（Ｓ２１２）。Ｓ２００〜Ｓ２１２の処理により、制御部１１０は、リモコン受信部兼操作部１２０が指令を受付けると、チューナ（入力部１１８に含まれる）が受付けた映像をＨＤＤ装置１１４が録画するように、ＨＤＤ装置１１４およびＤＶＤ装置１１６を制御する。
【００３２】
以上のようにして、本実施の形態に係るレコーダシステムは、１つの操作でＨＤＤ装置に映像を録画させることができる。従来、レコーダがＤＶＤモードの場合、ＨＤＤ装置に映像を録画させるためには、一度ＨＤＤモードボタンを押し下げ、レコーダをＨＤＤモードにし、さらに録画ボタンを押し下げる必要があった。本実施の形態に係るレコーダは、レコーダのモードに関わらず（ＤＶＤモードであっても、ＨＤＤモードであっても）、ＨＤＤ録画ボタンを押し下げると、直ちにＨＤＤ装置に映像を録画させることができる。これにより、映像がＨＤＤ装置に録画されるので、ユーザが望む映像を即座かつより確実に録画できる。ハードディスクは、正常に動作している限り、原則として録画を開始できる状態にあるからである（ＤＶＤ装置の場合、正常に動作していても、記録媒体である光ディスクが装着されていなければ、録画を開始できない）。その結果、ユーザが望む映像を即座かつ容易に録画できるレコーダを提供することができる。
【００３３】
なお、Ｓ２００にて、制御部１１０は、リモコン受信部兼操作部１２０が、次の指令をユーザから直接受付けたことを検出してもよい。その指令とは、ＨＤＤ装置１１４に映像（入力部１１８が受付けた映像）を録画する旨の指令である。この場合、ＨＤＤ録画ボタンはレコーダ１００にも設けられることとなる。
【００３４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００３５】
【図１】本発明の実施の形態に係るレコーダの制御ブロック図である。
【図２】本発明の実施の形態に係るリモコンの制御ブロック図である。
【図３】本発明の実施の形態に係るリモコンの外観図である。
【図４】本発明の実施の形態に係る録画処理の制御の手順を示すフローチャートである。
【図５】本発明の実施の形態に係るリモコンが信号を送信する際のデータのフォーマットを表わす図である。
【符号の説明】
【００３６】
１００  レコーダ、１０２  リモコン、１１０，１３２  制御部、１１２  メモリ、１１４  ＨＤＤ装置、１１６  ＤＶＤ装置、１１８  入力部、１２０  リモコン受信部兼操作部、１２２  エンコード、１２４  デコーダ、１２６  出力部、１３０  キー入力部、１３４  リモコン送信部、１４０  ＨＤＤ録画ボタン。
【図１】
2006129054.tif 000003
【図２】
2006129054.tif 000004
【図３】
2006129054.tif 000005
【図４】
2006129054.tif 000006
【図５】
2006129054.tif 000007